【手続補正書】
【提出日】平成30年3月6日(2018.3.6)
【手続補正１】
【補正対象書類名】特許請求の範囲
【補正対象項目名】全文
【補正方法】変更
【補正の内容】
【特許請求の範囲】
【請求項１】
システム内でローミングする方法であって、
前記システムは、
ホームレジストリを備えている関連付けられたホームベースを有しているモバイルセルラー対応デバイスであって、前記モバイルセルラー対応デバイスは、短距離非セルラー無線送受信機をさらに備えている、モバイルセルラー対応デバイスと、
アンテナと、衛星通信ネットワークを経由した双方向通信のための送受信機とを備えている衛星通信エミュレータであって、前記エミュレータは、モバイルセルラーデバイスと通信するための短距離非セルラー無線送受信機をさらに備え、前記エミュレータは、ゲートウェイレジストリを備えているホームゲートウェイに関連付けられている、エミュレータと、
プロセッサおよびデータベースを備えているバックオフィスであって、前記バックオフィスは、衛星通信ネットワーク、および、公衆交換電話ネットワークまたはパケットネットワークと通信可能である、バックオフィスと
を備え、
前記方法は、
前記バックオフィスのプロセッサが、前記衛星エミュレータ、衛星、および、サービス提供衛星ゲートウェイを通して、前記衛星エミュレータを通した通信サービスを要求する前記モバイルセルラー対応デバイスから通信を受信するステップと、
前記バックオフィスが、前記衛星エミュレータを前記バックオフィスのデータベース内の前記モバイルセルラーデバイスに関連付けるステップと、
前記バックオフィスが、前記バックオフィス上のローミングデバイスとしての前記モバイルセルラーデバイスのステータスの通知を前記セルラー対応モバイルデバイスのホームレジストリに送信するステップであって、前記バックオフィスはさらに、前記衛星通信エミュレータを通した前記セルラーデバイスへの着信呼のルーティングのために、前記エミュレータに関連付けられた一時的移動局ルーティング番号または一時的ＩＰアドレスを前記セルラー対応モバイルデバイスのホームベースに送信する、ステップと
を含む、方法。
【請求項２】
前記バックオフィスが、前記エミュレータの前記サービス提供衛星ゲートウェイの識別を前記エミュレータのホームレジストリから受信するステップをさらに含む、請求項１に記載の方法。
【請求項３】
前記モバイルセルラー対応デバイスへの着信呼を確立するステップをさらに含み、前記着信呼は、前記バックオフィスから受信された前記一時的移動局ルーティング番号または前記一時的ＩＰアドレスを使用して、前記セルラー対応デバイスのホームベースによってルーティングされる、請求項１に記載の方法。
【請求項４】
前記着信呼を確立するステップは、前記バックオフィスが、通信を前記モバイルセルラー対応デバイスにルーティングすることに対する第１の要求を前記モバイルセルラー対応デバイスの前記ホームベースから受信するステップと、
前記セルラー対応デバイスが前記バックオフィスに登録されているとき、または、前記モバイルセルラー対応デバイスへの着信呼のとき、前記バックオフィスが、前記一時的移動局ルーティング番号または前記一時的ＩＰアドレスを前記セルラー対応デバイスの前記ホームベースに送信するステップと
を含む、請求項３に記載の方法。
【請求項５】
システムにおいて呼をセルラー対応デバイスに転送する方法であって、
前記システムは、
ホームレジストリを備えているホームベースを有しているセルラー対応デバイスであって、前記セルラー対応デバイスは、短距離非セルラー無線送受信機をさらに備えている、セルラー対応デバイスと、
アンテナと、衛星および衛星ゲートウェイを備えている衛星通信ネットワークを経由した双方向通信のための送受信機とを備えている衛星通信エミュレータであって、前記エミュレータは、モバイルセルラーデバイスと通信するための短距離非セルラー無線送受信機をさらに備えている、エミュレータと、
プロセッサおよび関連付けられたデータベースを備えているバックオフィスであって、前記バックオフィスは、衛星通信ネットワーク、および、公衆交換電話ネットワークまたはパケットネットワークと通信する、バックオフィスと
を備え、
前記方法は、
前記バックオフィスのプロセッサが、前記エミュレータを通して、通信するための前記セルラー対応デバイスからの通信を受信するステップであって、前記通信は、前記衛星エミュレータ、前記衛星のうちの１つ、および前記衛星ゲートウェイのうちの１つを通し、前記衛星ゲートウェイのうちの前記１つは、前記衛星のうちの前記１つにサービス提供する（サービス提供衛星ゲートウェイである）、ステップと、
前記バックオフィスが、前記衛星通信ネットワークを経由した前記エミュレータとの通信のためのルーティング番号を決定するステップと、
前記バックオフィスが、無条件呼転送要求を前記セルラー対応デバイスの前記ホームベースに送信するステップであって、前記無条件呼転送要求は、前記ルーティング番号を含む、ステップと
を含む、方法。
【請求項６】
前記ルーティング番号は、前記エミュレータに関連付けられた一時的移動局ルーティング番号または一時的ＩＰアドレスである、請求項５に記載の方法。
【請求項７】
前記ルーティング番号は、前記エミュレータのＭＳＩＳＤＮまたはインターネットアドレスである、請求項５に記載の方法。
【請求項８】
前記ＭＳＩＳＤＮまたはインターネットアドレスは、前記エミュレータによって前記バックオフィスに提供される、請求項７に記載の方法。
【請求項９】
システムにおいて、セルラーデバイス電話番号を使用して、衛星ネットワークを経由したセルラーデバイスを終点とする呼を確立する方法であって、
前記システムは、
ホームレジストリを備えている関連付けられたホームベースを有するセルラー対応デバイスであって、前記セルラー対応デバイスは、関連付けられた電話番号をさらに有し、前記セルラー対応デバイスは、短距離非セルラー無線送受信機をさらに備えている、セルラー対応デバイスと、
アンテナと、衛星および衛星ゲートウェイを備えている衛星通信ネットワーク内の衛星への双方向通信のための送受信機とを備えている衛星通信エミュレータであって、前記衛星通信エミュレータは、前記セルラー対応デバイスと通信するための短距離非セルラー無線送受信機をさらに備え、前記衛星通信エミュレータは、ゲートウェイレジストリを備えているホーム衛星ゲートウェイに関連付けられている、衛星通信エミュレータと、
プロセッサおよびデータベースを備えているバックオフィスであって、前記バックオフィスは、衛星通信ネットワーク、および、公衆交換電話ネットワークまたはパケットネットワークと通信する、バックオフィスと
を備え、
前記方法は、
前記セルラー対応デバイスへのセルラーデバイスを終点とする呼に対する要求を前記バックオフィスにおいて受信するステップであって、前記要求は、前記セルラー対応デバイスのＭＳＩＳＤＮ、または前記セルラー対応デバイスのＩＰアドレスのいずれかを含むが、前記要求は、衛星通信エミュレータアドレスまたは識別情報を欠いている、ステップと、
前記セルラー対応デバイスに関連付けられた前記衛星通信エミュレータを識別するステップ、および、衛星ゲートウェイを経由した通信のために前記衛星通信エミュレータに関連付けられた一時的ルーティングアドレスを識別するステップであって、前記衛星ゲートウェイは、前記衛星通信エミュレータにサービス提供する、ステップと、
呼ルーティングのために、前記セルラー対応デバイスの前記ホームベースに前記ルーティングアドレスを伝送するステップと、
前記ルーティング番号を使用して、前記衛星への前記サービス提供衛星ゲートウェイを通して、前記セルラーデバイスを終点とする呼を前記衛星通信エミュレータにルーティングするステップと、
前記衛星通信エミュレータがさらに、前記衛星通信エミュレータ内の前記非セルラー短距離送受信機を経由して、前記セルラーデバイスを終点とする呼を前記セルラー対応デバイスにルーティングするステップと
を含む、方法。
【請求項１０】
前記バックオフィスは、前記衛星通信エミュレータの前記サービス提供衛星ゲートウェイに対するルーティングアドレスを識別するステップを行うことを支援する、請求項９に記載の方法。
【請求項１１】
前記セルラー対応デバイスの前記ホームベースは、前記セルラー対応デバイスにサービス提供する前記衛星通信エミュレータへのルーティング番号を検索するステップを行う、請求項９に記載の方法。
【請求項１２】
前記ルーティング番号は、前記セルラーデバイスを終点とする呼のルーティングのために前記ホームレジストリに送信される、請求項１１に記載の方法。
【請求項１３】
システムであって、前記システムは、
ホームレジストリを備えている関連付けられたホームベースを有するモバイルセルラー対応デバイスであって、前記モバイルセルラーデバイスは、短距離非セルラー無線送受信機をさらに備えている、モバイルセルラー対応デバイスと、
アンテナと、衛星および衛星ゲートウェイを備えている衛星通信ネットワークを経由した双方向通信のための送受信機とを備えている衛星通信エミュレータであって、前記エミュレータは、モバイルセルラーデバイスと通信するための短距離非セルラー無線送受信機をさらに備え、前記エミュレータは、ゲートウェイレジストリを備えているホームゲートウェイに関連付けられている、衛星通信エミュレータと、
プロセッサおよびデータベースを備えているバックオフィスであって、前記バックオフィスは、衛星通信ネットワーク、および、公衆交換電話ネットワークまたはパケットネットワークと通信可能である、バックオフィスと
を備え、
前記バックオフィスプロセッサは、（１）前記衛星エミュレータを前記バックオフィスデータベース内の前記モバイルセルラー対応デバイスに関連付けることと、（２）前記バックオフィスプロセッサが、前記衛星通信エミュレータを通して、通信サービスを要求する前記モバイルセルラー対応デバイスからの通信を受信すると、前記バックオフィス上のローミングデバイスとしての前記モバイルセルラー対応デバイスのステータスの通知を前記モバイルセルラー対応デバイスのホームレジストリに送信することと、（３）前記衛星通信エミュレータに関連付けられた移動局ルーティング番号またはＩＰアドレスを前記セルラー対応モバイルデバイスのホームレジストリに送信することと
を行うように構成されている、システム。
【手続補正２】
【補正対象書類名】明細書
【補正対象項目名】０００８
【補正方法】変更
【補正の内容】
【０００８】
いくつかの実施形態、事例、または構成では、ＨＬＲは、ホームエージェントまたはＨＳＳと称され、ＶＬＲは、ビジタエージェントと称され得る。他の専門用語も、ＨＬＲおよびＶＬＲのデータベースおよび機能性を指すために使用されることができる。バックオフィスは、ＰＳＴＮおよび／またはインターネット等のパケット交換ネットワークとインターフェースをとるコンピュータ処理設備である。バックオフィスは、衛星ゲートウェイ内に含まれ得、ＰＳＴＮを経由して、またはインターネットを通して、呼を衛星ネットワークにルーティングするのとは対照的に、直接、衛星ネットワークにアクセスし得る。一実施形態では、バックオフィスは、ＳＩＭカードまたはＳＩＭカード均等物が記憶された関連付けられたＳＩＭバンクを有し得る。
本発明は、例えば、以下を提供する。
（項目１）
システム内でローミングする方法であって、
前記システムは、
ホームレジストリを備えている関連付けられたホームベースを有しているモバイルセルラー対応デバイスであって、前記モバイルセルラーデバイスは、短距離非セルラー無線送受信機をさらに備えている、前記モバイルセルラー対応デバイスと、
アンテナと、衛星通信ネットワークを経由した双方向通信のための送受信機とを備えている衛星通信エミュレータであって、前記エミュレータは、モバイルセルラーデバイスと通信するための短距離非セルラー無線送受信機をさらに備え、前記エミュレータは、ゲートウェイレジストリを備えているホームゲートウェイに関連付けられている、エミュレータと、
プロセッサおよびデータベースを備えているバックオフィスであって、前記バックオフィスは、衛星通信ネットワーク、および、公衆交換電話ネットワークまたはパケットネットワークと通信可能である、バックオフィスと
を備え、
前記方法は、
前記バックオフィスプロセッサが、前記衛星エミュレータを通して、通信サービスを要求する前記モバイルセルラーデバイスから通信を受信するステップと、
前記バックオフィスが、前記衛星エミュレータを前記バックオフィスデータベース内の前記モバイルセルラーデバイスに関連付けるステップと、
前記バックオフィスが、前記バックオフィス上のローミングデバイスとしての前記モバイルセルラーデバイスのステータスの通知を前記セルラー対応モバイルデバイスホームレジストリに送信するステップと
を含む、方法。
（項目２）
前記バックオフィスが、前記エミュレータのサービス提供衛星ゲートウェイの識別を前記エミュレータホームゲートウェイレジストリから要求するステップをさらに含む、項目２に記載の方法。
（項目３）
前記バックオフィスは、前記ホームレジストリからサービス提供ゲートウェイの識別を受信する、項目２に記載の方法。
（項目４）
前記モバイルセルラーデバイスへの着信呼を確立するステップをさらに含む、項目１に記載の方法。
（項目５）
前記着信呼を確立するステップは、前記バックオフィスが、通信を前記モバイルセルラーデバイスにルーティングことに対する第１の要求を前記ホームベースから受信するステップと、
前記バックオフィスが、一時的ルーティング番号を前記セルラー対応デバイスの前記ホームベースに送信するステップと
を含む、項目４に記載の方法。
（項目６）
前記バックオフィスが、ＩＰアドレスを前記モバイルデバイスに割り当てるステップをさらに含む、項目４に記載の方法。
（項目７）
システムにおいて呼をセルラー対応デバイスに転送する方法であって、
前記システムは、
前記セルラー対応デバイスは、ホームレジストリを備えているホームベースを有しているセルラー対応デバイスであって、前記セルラー対応デバイスは、短距離非セルラー無線送受信機をさらに備えている、セルラー対応デバイスと、
アンテナと、衛星通信ネットワークを経由した双方向通信のための送受信機とを備えている衛星通信エミュレータであって、前記エミュレータは、モバイルセルラーデバイスと通信する短距離非セルラー無線送受信機をさらに備えている、エミュレータと、
プロセッサおよび関連付けられたデータベースを備えているバックオフィスであって、前記バックオフィスは、衛星通信ネットワーク、および、公衆交換電話ネットワークまたはパケットネットワークと通信する、バックオフィスと
を備え、
前記方法は、
前記バックオフィスプロセッサが、前記エミュレータを通して、通信するための前記セルラー対応デバイスからの通信を受信するステップと、
前記バックオフィスが、前記衛星通信ネットワークを経由した前記エミュレータとの通信のためのルーティング番号を決定するステップと、
前記バックオフィスが、呼転送要求を前記セルラー対応デバイスの前記ホームネットワークに送信するステップであって、前記呼転送要求は、前記ルーティング番号を含む、ステップと
を含む、方法。
（項目８）
前記ルーティング番号は、前記エミュレータに関連付けられた衛星アドレスである、項目７に記載の方法。
（項目９）
前記衛星アドレスは、前記エミュレータのＭＳＩＳＤＮまたはＩＳＤＮである、項目８に記載の方法。
（項目１０）
前記衛星アドレスは、前記エミュレータによって前記バックオフィスに提供される、項目８に記載の方法。
（項目１１）
システムにおいて、セルラーデバイス電話番号またはＩＳＤＮを使用して、衛星ネットワークを経由したセルラーデバイスを終点とする呼を確立する方法であって、
前記システムは、
ホームレジストリを備えている関連付けられたホームベースを有するセルラー対応デバイスであって、前記セルラー対応デバイスは、関連付けられた電話番号またはＩＳＤＮをさらに有し、前記セルラー対応デバイスは、短距離非セルラー無線送受信機をさらに備えている、セルラー対応デバイスと、
アンテナと、衛星通信ネットワーク内の衛星への双方向通信のための送受信機とを備えている衛星通信エミュレータであって、前記衛星通信エミュレータは、前記セルラー対応デバイスと通信するための短距離非セルラー無線送受信機をさらに備え、前記エミュレータは、ゲートウェイレジストリを備えているホーム衛星ゲートウェイに関連付けられている、衛星通信エミュレータと、
プロセッサおよびデータベースを備えているバックオフィスであって、前記バックオフィスは、衛星通信ネットワーク、および、公衆交換電話ネットワークまたはパケットネットワークと通信する、バックオフィスと
を備え、
前記方法は、
前記セルラー対応デバイスへのセルラーデバイスを終点とする呼に対する要求を受信するステップであって、前記要求は、前記セルラー対応デバイスのＭＳＩＳＤＮ、または前記セルラー対応デバイスのＩＳＤＮもしくはＩＰアドレスのいずれかを含むが、前記要求は、衛星通信エミュレータアドレスまたは識別情報を欠いている、ステップと、
前記セルラー対応デバイスに関連付けられた前記エミュレータを識別するステップ、または、衛星ゲートウェイに関連付けられた前記エミュレータのアドレスを識別するステップであって、前記衛星ゲートウェイは、前記衛星通信エミュレータにサービス提供する、ステップと、
前記衛星への前記サービス提供衛星ゲートウェイを通して、前記セルラーデバイスを終点とする呼を前記衛星通信エミュレータにルーティングするステップと、
前記衛星通信エミュレータが、前記衛星通信エミュレータ内の前記非セルラー短距離送受信機を経由して、前記セルラーデバイスを終点とする呼を前記セルラーデバイスにルーティングするステップと
を含む、方法。
（項目１２）
前記バックオフィスは、サービス提供衛星ゲートウェイに関連付けられた前記衛星通信エミュレータのアドレスを決定するステップを行う、項目１１に記載の方法。
（項目１３）
前記セルラーデバイスのホームレジストリは、前記モバイルセルラーデバイスにサービス提供する衛星通信エミュレータを識別するステップを行う、項目１１に記載の方法。
（項目１４）
前記ホームレジストリは、呼転送アドレスを回収することによって、前記衛星通信エミュレータを識別するステップを行い、前記呼転送アドレスは、前記衛星通信エミュレータに関連付けられている、項目１３に記載の方法。
（項目１５）
システムであって、前記システムは、
ホームレジストリを備えている関連付けられたホームベースを有するモバイルセルラー対応デバイスであって、前記モバイルセルラーデバイスは、短距離非セルラー無線送受信機をさらに備えている、モバイルセルラー対応デバイスと、
アンテナと、衛星通信ネットワークを経由した双方向通信のための送受信機とを備えている衛星通信エミュレータであって、前記エミュレータは、モバイルセルラーデバイスと通信するための短距離非セルラー無線送受信機をさらに備え、前記エミュレータは、ゲートウェイレジストリを備えているホームゲートウェイに関連付けられている、衛星通信エミュレータと、
プロセッサおよびデータベースを備えているバックオフィスであって、前記バックオフィスは、衛星通信ネットワーク、および、公衆交換電話ネットワークまたはパケットネットワークと通信可能である、バックオフィスと
を備え、
前記バックオフィスプロセッサは、前記バックオフィスプロセッサが、前記衛星エミュレータを通して、通信サービス要求する前記モバイルセルラーデバイスからの通信を受信すると、
（１）前記衛星エミュレータを前記バックオフィスデータベース内の前記モバイルセルラーデバイスに関連付けることと、
（２）前記バックオフィス上のローミングデバイスとしての前記モバイルセルラーデバイスのステータスの通知を前記セルラー対応モバイルデバイスホームレジストリに送信することと
を行うように構成されている、システム。